(57)【要約】【課題】ブラケットとブラケットに取り付けられる取付部との係止状態をより強固にすること。【解決手段】プロテクタ１は、ワイヤーハーネス１０における保護対象部分に外装可能な外装部２と、外装部２をブラケット９に取り付け可能な取付部３と、を備え、取付部３には、ブラケット９を挿入可能な挿入孔３１と、挿入孔３１の内部に形成され、ブラケット９に設けられた少なくとも１つの係止孔８のうち一の係止孔８に係止可能な複数の係止片と、が形成されている。【選択図】図１
2017011810.tif 000002
【特許請求の範囲】
【請求項１】
ワイヤーハーネスにおける保護対象部分に外装可能な外装部と、
前記外装部をブラケットに取り付け可能な取付部と、を備え、
前記取付部には、前記ブラケットを挿入可能な挿入孔と、前記挿入孔の内部に形成され、前記ブラケットに設けられた少なくとも１つの係止孔のうち一の前記係止孔に係止可能な複数の係止片と、が形成されている、プロテクタ。
【請求項２】
請求項１に記載のプロテクタであって、
前記複数の係止片は、前記取付部の幅方向において並び、前記係止孔の内縁部に当接し前記ブラケットが前記幅方向において移動することを規制する２つの端側係止片を含む、プロテクタ。
【請求項３】
請求項２に記載のプロテクタであって、
前記複数の係止片は、前記挿入孔における前記ブラケットの第一主面側の第一内壁部から前記第一主面の反対側の第二主面側へ突出する第一係止片と、前記挿入孔における前記ブラケットの前記第二主面側の第二内壁部から前記第一主面側へ突出する第二係止片と、を含み、
前記第一係止片は、前記２つの端側係止片であり、
前記第二係止片は、前記２つの端側係止片の間に設けられた中央側係止片である、プロテクタ。
【請求項４】
請求項１から請求項３のいずれか１項に記載のプロテクタであって、
前記複数の係止片各々は、前記ブラケットが前記取付部に挿入される側からその反対側に向かって徐々に突出し、傾斜面が形成された部分を含む、プロテクタ。
【請求項５】
請求項１から請求項４のいずれか１項に記載のプロテクタと、
前記プロテクタにおける前記取付部の前記挿入孔に挿入され、前記挿入孔の内部に形成された前記複数の係止片と係止可能な一の係止孔が形成されたブラケットと、を備える、ワイヤーハーネス固定構造。
【請求項６】
請求項５に記載のワイヤーハーネス固定構造であって、
前記ブラケットの前記係止孔は、前記取付部の幅方向に沿って延在する第一内縁部と、前記第一内縁部よりも前記ブラケットが前記取付部に挿入される側の開口側に存在し、前記第一内縁部側から前記開口側に向かって徐々にその間の幅が狭まるように延在する一対の第二内縁部と、を含み、
前記複数の係止片は、前記第一内縁部及び前記一対の第二内縁部に当接し前記ブラケットが前記挿入孔に挿入される挿入方向及び前記幅方向に前記ブラケットが移動することを規制する、ワイヤーハーネス固定構造。
【発明の詳細な説明】
【技術分野】
【０００１】
本発明は、ワイヤーハーネスを保護するプロテクタを固定する技術に関する。
【背景技術】
【０００２】
自動車等の車両に搭載されるワイヤーハーネスにおいて、プロテクタは、車両の車体又はエンジン等に配設されるワイヤーハーネスを収納して保護する。
【０００３】
例えば、特許文献１には、車体側に設けられたブラケットに係合可能なブラケット受け部が形成されたプロテクタが開示されている。このブラケット受け部には、ブラケットの両側面をそれぞれ押圧し挟み込む一対の弾性部材と、ブラケットに形成された孔に係止し位置決めする位置決め係合片と、が形成されている。
【先行技術文献】
【特許文献】
【０００４】
【特許文献１】特許第４８９３１２１号公報
【発明の概要】
【発明が解決しようとする課題】
【０００５】
しかしながら、特許文献１に示される例では、ブラケットの一の孔に対し、ブラケット受け部に設けられた一の位置決め係合片が係止する構造である。ここで、さらに、ブラケットとブラケット受け部との係止状態をより強固にすることが望まれている。
【０００６】
本発明は、ブラケットとブラケットに取り付けられる取付部との係止状態をより強固にする技術を提供することを目的とする。
【課題を解決するための手段】
【０００７】
第１態様に係るプロテクタは、ワイヤーハーネスにおける保護対象部分に外装可能な外装部と、前記外装部をブラケットに取り付け可能な取付部と、を備え、前記取付部には、前記ブラケットを挿入可能な挿入孔と、前記挿入孔の内部に形成され、前記ブラケットに設けられた少なくとも１つの係止孔のうち一の前記係止孔に係止可能な複数の係止片と、が形成されている。
【０００８】
第２態様に係るプロテクタは、第１態様に係るプロテクタの一態様である。第２態様に係るプロテクタにおいては、前記複数の係止片は、前記取付部の幅方向において並び、前記係止孔の内縁部に当接し前記ブラケットが前記幅方向において移動することを規制する２つの端側係止片を含む。
【０００９】
第３態様に係るプロテクタは、第２態様に係るプロテクタの一態様である。第３態様に係るプロテクタにおいては、前記複数の係止片は、前記挿入孔における前記ブラケットの第一主面側の第一内壁部から前記第一主面の反対側の第二主面側へ突出する第一係止片と、前記挿入孔における前記ブラケットの前記第二主面側の第二内壁部から前記第一主面側へ突出する第二係止片と、を含み、前記第一係止片は、前記２つの端側係止片であり、前記第二係止片は、前記２つの端側係止片の間に設けられた中央側係止片である。
【００１０】
第４態様に係るプロテクタは、第１態様から第３態様のいずれか１つのプロテクタの一態様である。第４態様に係るプロテクタにおいては、前記複数の係止片各々は、前記ブラケットが前記取付部に挿入される側からその反対側に向かって徐々に突出し、傾斜面が形成された部分を含む。
【００１１】
第５態様に係るワイヤーハーネス固定構造は、第１態様から第４態様のいずれか１つのプロテクタと、前記プロテクタにおける前記取付部の前記挿入孔に挿入され、前記挿入孔の内部に形成された前記複数の係止片と係止可能な一の係止孔が形成されたブラケットと、を備える。
【００１２】
第６態様に係るワイヤーハーネス固定構造は、第５態様に係るワイヤーハーネス固定構造の一態様である。第６態様に係るワイヤーハーネス固定構造においては、前記ブラケットの前記係止孔は、前記取付部の幅方向に沿って延在する第一内縁部と、前記第一内縁部よりも前記ブラケットが前記取付部に挿入される側の開口側に存在し、前記第一内縁部側から前記開口側に向かって徐々にその間の幅が狭まるように延在する一対の第二内縁部と、を含み、前記複数の係止片は、前記第一内縁部及び前記一対の第二内縁部に当接し前記ブラケットが前記挿入孔に挿入される挿入方向及び前記幅方向に前記ブラケットが移動することを規制する。
【発明の効果】
【００１３】
上記の各態様においては、ブラケットに形成された少なくとも１つの係止孔のうち一の係止孔に、取付部の複数の係止片が係止する。この場合、一の係止孔に対し係止する係止片の数が多いため、ブラケットと取付部との係止状態をより強固にすることができる。
【００１４】
また、第２態様においては、２つの端側係止片により、取付部に対しブラケットが幅方向に移動することをより確実に抑制できる。
【００１５】
また、第３態様においては、ブラケットの第一主面側と第二主面側とにそれぞれ、第一係止片と第二係止片とが存在する。この場合、ブラケットを挿入孔に挿入しやすくなる。
【００１６】
また、第４態様においては、係止片の傾斜面に沿ってブラケットを挿入しやすくなる。また、さらに、複数の係止片が、幅方向において並び、係止孔の内縁部に当接しブラケットが幅方向において移動することを規制する２つの端側係止片を含み、そして、ブラケットの係止孔が幅方向に沿って延在する第一内縁部と、第一内縁部よりもブラケットが取付部に挿入される側の開口側に存在し、第一内縁部側から開口側に向かって徐々にその間の幅が狭まるように延在する一対の第二内縁部と、を含む場合、端側係止片の傾斜面のいずれかの部分と、第二内縁部の端側係止片側の部分と、が当接することで、係止片と係止孔とを係止状態とすることができる。この場合、例えば、係止片の寸法公差等により、係止片の形状が僅かに大きい又は小さい場合でも、より確実に係止片と係止孔とを係止状態とすることが可能となる。
【００１７】
また、第５態様においても、一の係止孔に対し係止する係止片の数が多いため、ブラケットと取付部との係止状態をより強固にすることができる。
【００１８】
また、第６態様においては、複数の係止片が、ブラケットの係止孔の第一内縁部及び一対の第二内縁部に当接することで、ブラケットが挿入方向及び幅方向に移動することを規制する。ここで、一対の第二内縁部は、取付部におけるブラケットが挿入される開口側に向かってその間の幅が徐々に狭まるように延在する。この場合、複数の係止片のうちその両端に存在する２つの係止片が第一内縁部に当接する状態で一対の第二内縁部に当接する状況をより確実に作ることができる。
【図面の簡単な説明】
【００１９】
【図１】実施形態に係るワイヤーハーネス固定構造を示す斜視図である。
【図２】実施形態に係るプロテクタの取付部の平面図である。
【図３】実施形態に係るプロテクタの取付部の一部切り欠き斜視図である。
【図４】図２のＩＩ−ＩＩ線における断面図である。
【図５】図２のＩＩＩ−ＩＩＩ線における断面図である。
【図６】図２のＩＶ−ＩＶ線における断面図である。
【図７】実施形態に係るワイヤーハーネス固定構造における取付部とブラケットとを示す説明図である。
【図８】実施形態に係るワイヤーハーネス固定構造における取付部とブラケットとを示す説明図である。
【発明を実施するための形態】
【００２０】
以下、添付の図面を参照しつつ、実施形態について説明する。以下の実施形態は、本発明を具現化した一例であり、本発明の技術的範囲を限定する事例ではない。
【００２１】
図１〜８を参照しつつ、実施形態に係るワイヤーハーネス固定構造１００について説明する。ワイヤーハーネス固定構造１００は、プロテクタ１とブラケット９とを備える。
【００２２】
プロテクタ１は、外装部２と取付部３とを備える。そして、取付部３には、挿入孔３１及び複数の係止片３２が形成されている。また、ブラケット９は、取付部３の挿入孔３１に挿入可能に構成されている。そして、ブラケット９には、取付部３の複数の係止片３２に係止可能な係止孔８が形成されている。
【００２３】
図１は、ワイヤーハーネス固定構造１００の斜視図である。なお、図１では、プロテクタ１の外装部２に外装されるワイヤーハーネス１０が仮想線（二点鎖線）で示されている。ワイヤーハーネス１０は、複数の電線を含み、さらに、この電線に装着されるコネクタ及び端子等の部材を含むことが考えられる。
【００２４】
ワイヤーハーネス固定構造１００においては、後述するように、プロテクタ１における取付部３に設けられた複数の係止片３２とブラケット９に設けられた係止孔８とが係止することで、プロテクタ１に対しブラケット９が固定される。
【００２５】
はじめに、ワイヤーハーネス固定構造１００におけるブラケット９について説明する。ブラケット９は、プロテクタ１を車体側のボディ等に固定するための部材であり、例えば、立設した状態で車体側のボディ等に溶接され、固定されている。そして、ブラケット９は、プロテクタ１の取付部３の挿入孔３１に挿入されることでプロテクタ１と固定される。これにより、プロテクタ１は、ブラケット９を介して車体側のボディ等に固定される。
【００２６】
ブラケット９は、例えば、金属の部材である。ここでは、ブラケット９は、板状に形成されている。より具体的には、図１に示されるように、ブラケット９は、平板状に形成された中央部分９９と、中央部分９９の両側においてそれぞれ中央部分９９からブラケット９の一方の主面（ここでは、第二主面９２とする）側へ曲がって形成された端側部分９８と、を含んでいる。なお、第二主面９２に対し反対側の主面を、以下、第一主面９１と称する。
【００２７】
そして、ブラケット９には、係止孔８が形成されている。ここでは、ブラケット９における中央部分９９に係止孔８が形成されている。なお、本実施形態は、ブラケット９に形成された係止孔８が１つである場合の事例である。
【００２８】
また、ここでは、係止孔８が三角形状に形成されている場合が示されている。なお、係止孔８についての詳細は、後述する。
【００２９】
次に、プロテクタ１の外装部２について説明する。外装部２は、ワイヤーハーネス１０における保護対象部分に外装可能な部分である。ここでは、図１に示されるように、外装部２は、ワイヤーハーネス１０における電線の部分を、外装可能に構成されている。即ち、本実施形態では、ワイヤーハーネス１０における保護対象部分が、電線の部分である場合が示されている。なお、ワイヤーハーネス１０における電線の部分以外の部分が、保護対象部分である場合も考えられる。
【００３０】
より具体的には、外装部２は、本体部２１と蓋部２２とヒンジ部２３とを含む。本体部２１は、ワイヤーハーネス１０を収容可能な凹部が形成されている。また、蓋部２２は、ヒンジ部２３を介して本体部２１に連結されており、本体部２１の凹部の開口を閉じる部分である。ヒンジ部２３は、本体部２１の凹部に対して蓋部２２を開閉可能に連結する部分である。また、ここでは、本体部２１、蓋部２２及びヒンジ部２３は、ワイヤーハーネス１０の延在方向に沿って延びて形成されている。
【００３１】
本実施形態では、外装部２において、蓋部２２が本体部２１の凹部の開口を閉じた状態で、ワイヤーハーネス１０における複数の電線の部分の周囲を覆う環状に形成される。これにより、ワイヤーハーネス１０の周囲が外装部２によって覆われ、保護される。
【００３２】
また、ここでは、図１に示されるように、外装部２の外周面が成す輪郭が四角形状の場合が示されているが、外装部２の外周面が成す輪郭が三角形状又は円形状等であってもよい。
【００３３】
また、外装部２は、例えば、ポリプロピレン（ＰＰ）又はポリエチレン（ＰＥ）等の合成樹脂により成形された部材であることが考えられる。この場合、外装部２と後述する取付部３とは、一体に成形された部材であることが考えられる。なお、外装部２が、金属の部材であってもよい。
【００３４】
次に、図２〜８を参照しつつ、プロテクタ１の取付部３について説明する。取付部３は、外装部２をブラケット９に取り付け可能にする部分である。ここでは、取付部３は、ブラケット９を挿入可能な挿入孔３１と、挿入孔３１の内部に形成され、ブラケット９に設けられた少なくとも１つの係止孔８のうち一の係止孔８に係止可能な複数の係止片３２と、が形成されている。
【００３５】
図２〜６は、取付部３を説明する図である。図２は、取付部３の平面図であり、取付部３を取付部３におけるブラケット９が挿入される開口側からみた図である。図３は、取付部３の一部切欠き斜視図である。図４〜６は、取付部３の断面図であり、図４は、図２のＩＩ−ＩＩ線で切断した断面図である。図５は、図２のＩＩＩ−ＩＩＩ線で切断した断面図である。図６は、図２のＩＶ−ＩＶ線で切断した断面図である。
【００３６】
図７，８は、ブラケット９が取付部３の挿入孔３１に挿入され、ブラケット９の係止孔８と取付部３の複数の係止片３２とが係止した状態を示す説明図である。ここでは、図７は、ブラケット９及び取付部３の一部切り欠き斜視図である。なお、図７では、説明の便宜上、３つの係止片３２のうちの１つを省略している。図８は、ブラケット９及び取付部３の概略断面図である。
【００３７】
はじめに、取付部３の挿入孔３１について説明する。挿入孔３１は、ブラケット９が挿入される孔である。ここでは、挿入孔３１は、取付部３におけるブラケット９が挿入される側に形成された開口３１９を含み、開口３１９側から取付部３における開口３１９側に対し反対側に向かって延在するように形成されている。なお、挿入孔３１における開口３１９側に対し反対側には、ブラケット９が所定量挿入された状態で、さらに挿入されること抑制する挿入抑制部が設けられていることが考えられる。
【００３８】
また、本実施形態では、挿入孔３１の内壁部３１０のうちブラケット９が挿入孔３１に挿入された状態で、ブラケット９の第一主面９１側の内壁部３１０を第一内壁部３１１と称し、ブラケット９の第二主面９２側の内壁部３１０を第二内壁部３１２と称する。
【００３９】
また、挿入孔３１の第一内壁部３１１と第二内壁部３１２との対向方向及び挿入孔３１の延在方向に直交する幅方向における寸法は、ブラケット９の端側部分９８間の寸法と同じであることが考えられる。また、ブラケット９が挿入孔３１に挿入された状態で、挿入孔３１のうち上記幅方向において対向する一対の内壁部には、それぞれブラケット９の端側部分９８が接触していることが考えられる。なお、挿入孔３１の延在方向は、ブラケット９が挿入孔３１に挿入される挿入方向と一致する。
【００４０】
次に、複数（ここでは３つ）の係止片３２について説明する。３つの係止片３２は、挿入孔３１の内部に設けられている。３つの係止片３２は、ブラケット９の１つの係止孔８に係止する。これにより、取付部３に対しブラケット９が固定される。
【００４１】
本実施形態では、３つの係止片３２は、２つの端側係止片３２１と１つの中央側係止片３２２とを含む。２つの端側係止片３２１は、取付部３の幅方向において並んで形成されている。また、中央側係止片３２２は、２つの端側係止片３２１の間に設けられている。
【００４２】
また、本実施形態では、複数（ここでは、３つ）の係止片３２は、挿入孔３１におけるブラケット９の第一主面９１側の第一内壁部３１１から第一主面９１の反対側の第二主面９２側へ突出する第一係止片と、挿入孔３１におけるブラケット９の第二主面９２側の第二内壁部３１２から第一主面９１側へ突出する第二係止片と、を含む。ここでは、上記第一係止片は、２つの端側係止片３２１である。また、上記第二係止片は、１つの中央側係止片３２２である。
【００４３】
以下、係止片３２の詳細な構造について説明する。なお、本実施形態において、第一係止片及び第二係止片は、ともに同様の構造を有している。
【００４４】
ここでは、図３に示されるように、係止片３２は、開口３１９側の部分で挿入孔３１の内壁部３１０に連結された部分（以下、連結部３２９と称する）を含む。なお、以下では、内壁部３１０のうち第一内壁部３１１に設けられた係止片３２（端側係止片３２１）について説明する。
【００４５】
本実施形態では、係止片３２（端側係止片３２１）は、連結部３２９と、連結部３２９の開口３１９側に対し反対側に連なって形成された棒状部３２８と、棒状部３２８に形成された係止爪３２７と、を備えている。
【００４６】
ここでは、図３に示されるように、端側係止片３２１において、連結部３２９は、開口３１９側からその反対側に向かうにつれ徐々に第一内壁部３１１との隙間の間隔が大きくなるように、第一内壁部３１１から突出して形成されている。
【００４７】
そして、端側係止片３２１において、連結部３２９の開口３１９側に対し反対側に連なって形成された棒状部３２８は、開口３１９側からその反対側に向かって延びるように形成されている。そして、棒状部３２８と第一内壁部３１１との間にも、隙間が形成されている。なお、ここでは、棒状部３２８は連結部３２９に対し角度を成して連なり、棒状部３２８と第一内壁部３１１との間の隙間の間隔が棒状部３２８の延在方向に沿って一定となるように構成されている。なお、棒状部３２８の延在方向は、挿入孔３１の延在方向及び上記挿入方向と一致する。
【００４８】
なお、連結部３２９及び棒状部３２８は、ブラケット９が挿入孔３１に挿入されることで第一内壁部３１１側に近づくように弾性変形可能に構成されている。ここでは、主に棒状部３２８が、ブラケット９が挿入孔３１に挿入されることで第一内壁部３１１側に近づくように弾性変形する。
【００４９】
そして、棒状部３２８には、係止爪３２７が設けられている。係止爪３２７は、棒状部３２８の第一内壁部３１１側に対し反対側に設けられている。即ち、係止爪３２７は、棒状部３２８の第二内壁部３１２側に突出するように設けられている。
【００５０】
また、本実施形態では、複数（ここでは３つ）の係止片３２各々は、ブラケット９が取付部３に挿入される側（開口３１９側）からその反対側に向かって徐々に突出し、傾斜面が形成された部分を含む。ここでは、係止片３２における係止爪３２７が、開口３１９側からその反対側に向かって徐々に突出し、傾斜面が形成された部分である。この場合、ブラケット９が係止爪３２７の傾斜面に接触した状態でさらに奥に挿入されることで、棒状部３２８が第一内壁部３１１側に近付くように押される。従って、係止爪３２７に傾斜面が形成されていることで、ブラケット９を円滑に取付部３の挿入孔３１に挿入することが可能となる。
【００５１】
なお、本実施形態では、中央側係止片３２２（第二係止片）も、上記と同様、連結部３２９と、連結部３２９の開口３１９側に対し反対側に連なって形成された棒状部３２８と、棒状部３２８に形成された係止爪３２７と、を備えている。中央側係止片３２２においては、連結部３２９は、開口３１９側からその反対側に向かうにつれ徐々に第二内壁部３１２との隙間の間隔が大きくなるように、第二内壁部３１２から突出して形成されている。そして、棒状部３２８は、開口３１９側からその反対側に向かって延びるように形成され、棒状部３２８と第二内壁部３１２との間にも、隙間が形成されている。ここでは、棒状部３２８と第二内壁部３１２との間の隙間の間隔が棒状部３２８の延在方向に沿って一定となるように構成されている。そして、棒状部３２８に設けられた係止爪３２７は、棒状部３２８の第一内壁部３１１側に突出するように設けられている。
【００５２】
次に、ブラケット９に形成された係止孔８の詳細について説明する。本実施形態において、係止孔８は、ブラケット９が取付部３の挿入孔３１に挿入された状態で、取付部３の幅方向に沿って延在する第一内縁部８１と、一対の第二内縁部８２と、を含む。一対の第二内縁部８２は、ブラケット９が取付部３の挿入孔３１に挿入された状態で、第一内縁部８１よりも開口３１９側に存在し、第一内縁部８１側から開口３１９側に向かって徐々にその間の幅が狭まるように延在している。
【００５３】
ここでは、図１，７，８に示されるように、一対の第二内縁部８２は、開口３１９側の部分で繋がっている。そして、一対の第二内縁部８２の一方における第二内縁部８２同士が繋がった一端部に対し他端部は、第一内縁部８１の一端部に繋がっている。また、一対の第二内縁部８２の他方における第二内縁部８２同士が繋がった一端部に対し他端部は、第一内縁部８１の他端部に繋がっている。
【００５４】
従って、本実施形態では、係止孔８は、一対の第二内縁部８２及び第一内縁部８１に囲まれた三角形状に形成されている。なお、係止孔８が三角形状以外の孔である場合も考えられる。例えば、一対の第二内縁部８２が、第一内縁部８１側の端部に対し反対側の端部で、取付部３の幅方向に沿う第三内縁部を介して繋がっている場合も考えられる。この場合、ブラケット９の係止孔８は、台形状であることが考えられる。また、さらに、上記第三内縁部にくわえ、係止孔８が、第一内縁部８１の両端部各々と一対の第二内縁部８２各々の端部とを繋ぐ一対の第四内縁部を含む場合、この係止孔８は、六角形状であることが考えられる。
【００５５】
また、係止孔８が、円形状、矩形状又は角丸四角形状である場合ももちろん考えられる。例えば、係止孔８が矩形状の場合、係止片３２は係止孔８の両側の内縁部に当接し、係止状態となることが考えられる。
【００５６】
次に、図７，８を参照しつつ、ワイヤーハーネス固定構造１００におけるブラケット９と取付部３との係止状態について説明する。
【００５７】
本実施形態では、まず、取付部３の開口３１９を通ってブラケット９が挿入孔３１に挿入される。やがて、ブラケット９の先端が、挿入孔３１の内部に設けられた３つの係止片３２の係止爪３２７に接触する。
【００５８】
そして、ブラケット９の先端が係止爪３２７に接触した状態で、さらに奥の方へブラケット９が挿入されることで、係止爪３２７を介して棒状部３２８が押し広げられ、端側係止片３２１における棒状部３２８が第一内壁部３１１側へ、中央側係止片３２２における棒状部３２８が第二内壁部３１２側へ近づくように弾性変形する。ここで、ブラケット９が所定量挿入されると、３つの係止片３２の係止爪３２７がブラケット９の係止孔８内に入ることが可能となり、棒状部３２８が元の形状へ復帰する。これにより、３つの係止爪３２７が、係止孔８の第一内縁部８１及び一対の第二内縁部８２に当接し、取付部３に対するブラケット９の移動が抑制される。
【００５９】
より具体的には、本実施形態では、３つの係止片３２のうち２つの端側係止片３２１における係止爪３２７各々が、ブラケット９の係止孔８の一対の第二内縁部８２各々に当接することで、ブラケット９が取付部３の幅方向に移動することが規制される。
【００６０】
また、２つの端側係止片３２１における係止爪３２７及び中央側係止片３２２における係止爪３２７が、第一内縁部８１に当接することで、ブラケット９が上記挿入方向において移動することが規制される。
【００６１】
また、本実施形態のように、係止孔８が一対の第二内縁部８２を含み、かつ、複数の係止片３２各々は、ブラケット９が取付部３に挿入される側からその反対側に向かって徐々に突出し、傾斜面が形成された部分を含む場合、以下のようなメリットを得ることができる。
【００６２】
即ち、本実施形態では、図８に示されるように、第一内縁部８１側から開口３１９側に向かって徐々にその間の幅が狭まるように延在する一対の第二内縁部８２は、係止爪３２７の第二内縁部８２側の縁部と当接する。ここで、係止爪３２７が取付部３の幅方向において移動する力が加えられたとき、係止爪３２７は、第二内縁部８２と第一内縁部８１とに挟まれるような状態となり、係止爪３２７が係止孔８内で移動することがより効果的に規制される。
【００６３】
さらに、上記構成にくわえ、係止爪３２７が、開口３１９側からその反対側に向かって徐々に突出するように形成され、傾斜面を含む場合、一対の第二内縁部８２における端側係止片３２１側（第一主面９１側）の部分に、傾斜面のいずれかの部分が当接することで、係止爪３２７と係止孔８とを係止状態とすることができる。このとき、例えば、係止片３２の寸法公差等により係止爪３２７の形状が僅かに大きい又は小さい場合でも、傾斜面のいずれかの部分が第二内縁部８２の第一主面９１側の部分に当接することが可能である。係止爪３２７の形状の大きさが僅かに異なる場合には、ブラケット９の厚み方向（第一主面９１から第二主面９２へ向かう方向）における端側係止片３２１の係止爪３２７の変位量が変わるだけであり、係止爪３２７の傾斜面のいずれかの部分には、第二内縁部８２の第一主面９１側の部分が当接するためである。その結果、本実施形態では、より確実に係止片３２と係止孔８とを係止状態とすることが可能となる。
【００６４】
＜効果＞
以上のように、本実施形態においては、ブラケット９に形成された少なくとも１つの係止孔８のうち一の係止孔８に、取付部３の複数の係止片３２が係止する。この場合、一の係止孔８に対し係止する係止片３２の数が多いため、ブラケット９と取付部３との係止状態をより強固にすることができる。
【００６５】
また、本実施形態においては、２つの端側係止片３２１により、取付部３に対しブラケット９が幅方向に移動することをより確実に抑制できる。
【００６６】
また、本実施形態においては、ブラケット９の第一主面９１側と第二主面９２側とにそれぞれ、第一係止片と第二係止片とが存在する。この場合、ブラケット９を挿入孔３１に挿入しやすくなる。
【００６７】
また、本実施形態においては、係止片３２の傾斜面に沿ってブラケット９を挿入しやすくなる。また、上述のように、係止孔８が一対の第二内縁部８２を含み、かつ、複数の係止片３２各々は、ブラケット９が取付部３に挿入される側からその反対側に向かって徐々に突出し、傾斜面が形成された部分を含む場合、例えば、係止片３２の寸法公差等により、係止片３２の係止爪３２７の形状が僅かに大きい又は小さい場合でも、より確実に係止片３２と係止孔８とを係止状態とすることが可能となる。
【００６８】
また、本実施形態においては、複数の係止片３２が、ブラケット９の係止孔８の第一内縁部８１及び一対の第二内縁部８２に当接することで、ブラケット９が挿入方向及び幅方向に移動することを規制する。ここで、一対の第二内縁部８２は、取付部３におけるブラケット９が挿入される開口３１９側に向かってその間の幅が徐々に狭まるように延在する。この場合、複数の係止片３２のうちその両端に存在する２つの係止片３２が第一内縁部８１に当接する状態で一対の第二内縁部８２に当接する状況をより確実に作ることができる。
【００６９】
＜応用例＞
上記の実施形態では、取付部３における２つの端側係止片３２１は、ともにブラケット９の第一主面９１側に設けられている。しかしながら、取付部３における２つの端側係止片３２１のうち一方が、ブラケット９の第一主面９１側に設けられ、他方が、ブラケット９の第二主面９２側に設けられる場合も考えられる。
【００７０】
また、ブラケット９に、複数の係止片３２と係止する一の係止孔８以外の係止用の孔が設けられている場合も考えられる。
【００７１】
なお、本発明に係るプロテクタ及びワイヤーハーネス固定構造は、各請求項に記載された発明の範囲において、以上に示された実施形態及び応用例を自由に組み合わせること、或いは、実施形態及び応用例を適宜、変形する又は一部を省略することによって構成されることも可能である。
【符号の説明】
【００７２】
１  プロテクタ
１０  ワイヤーハーネス
１００  ワイヤーハーネス固定構造
２  外装部
３  取付部
３１  挿入孔
３１０  内壁部
３１１  第一内壁部
３１２  第二内壁部
３２  係止片
３２１  端側係止片
３２２  中央側係止片
８  係止孔
８１  第一内縁部
８２  第二内縁部
９  ブラケット
９１  第一主面
９２  第二主面
【図１】
2017011810.tif 000003
【図２】
2017011810.tif 000004
【図３】
2017011810.tif 000005
【図４】
2017011810.tif 000006
【図５】
2017011810.tif 000007
【図６】
2017011810.tif 000008
【図７】
2017011810.tif 000009
【図８】
2017011810.tif 000010